(57)【特許請求の範囲】
【請求項１】
親機と、前記親機と送受信を行う送受信部を備えた子機から成り、前記子機は、
送信及び受信のためのチャンネル番号を記憶する第１の記憶手段と、
待ち受け時には前記送受信部を制御して所定時間毎に受信する間欠受信を行うように制御し、この間欠受信では前記送受信部が送受信できる全チャンネルに含まれかつ全チャンネルの数よりも少ない数のチャンネルから成るチャンネルグループにて受信スキャンを行わせ、親機からの呼出信号を受信する第１の制御手段と、
親機と子機との間に無線リンクが確立するとその時のチャンネルを示すチャンネル番号を前記第１の記憶手段に格納し、該チャンネルを起点としてチャンネルグループを決定する第２の制御手段とを備え、
前記親機は、
送信及び受信のためのチャンネル番号を記憶する第２の記憶手段と、
前記子機への呼出の必要性が生じたとき、第２の記憶手段に記憶されたチャンネルが使用可能か否かを判定し、使用可能であればそのチャンネルにて子機へ信号を送信し、この第２の記憶手段に記憶に記憶されたチャンネルが使用不可能であれば第２の記憶手段に記憶されたチャンネルを起点とするチャンネルグループの中から使用可能なチャンネルを捜して子機へ信号を送信する第３の制御手段とを備えた、
事を特徴とする無線装置。
【請求項２】
子機から親機を呼び出す時は、初めは子機の前記第１の制御手段がスキャンを行うチャンネルグループの中から選択されたチャンネルを第１の送受信部へ与えてそのチャンネルが使用可能か否かを判定し、使用可能であればそのチャンネルにて親機へ信号を送信し、このチャンネルが使用不可能かまたはこのチャンネルにて親機から正常な応答が無ければ全チャンネルの中から使用可能なチャンネルを捜して親機へ信号を送信する第４の制御手段と、を設けた事を特徴とする請求項１記載の無線装置。
【請求項３】
有線回線に接続された親機と前記親機と無線通信を行う子機とから成り、
前記子機は、
複数の無線チャンネルにアクセスでき、無線チャンネルによって前記親機と送受信を行う第１の送受信部と、
待ち受け時には前記第１の送受信部を制御して所定時間毎に受信する間欠受信を行うように制御し、この間欠受信では前記第１の送受信部が送受信できる全チャンネルに含まれかつ全チャンネルの数よりも少ない数のチャンネルから成るチャンネルグループにて受信スキャンを行わせ、親機からの呼出信号の有無を確認する第１の制御手段と、
送信及び受信のためのチャンネル番号を記憶する第１の記憶手段と、
親機と子機との間に無線リンクが確立するとその時のチャンネルを示すチャンネル番号を前記第１の記憶手段に格納し、該チャンネルを起点として新にチャンネルグループを決定する第２の制御手段と、
子機から前記親機へ信号送信の必要性が生じたとき、初めは第１の記憶手段に記憶されたチャンネル番号を読みだして第１の送受信部の受信チャンネルをそのチャンネルに合わせて、そのチャンネルが使用可能か否かを判定し、使用可能であればそのチャンネルにて親機へ信号を送信し、このチャンネルが使用不可能かまたはそのチャンネルにて親機から正常な応答が無ければ他のチャンネルに切り換えて使用可能か否かを判定し、使用可能であればそのチャンネルにて親機へ信号を送信するという具合いに使用可能なチャンネルを捜して親機へ信号を送信する第６の制御手段とを備え、
前記親機は、
複数の無線チャンネルにアクセスでき、無線チャンネルによって前記子機と送受信を行う第２の送受信部と、
送信及び受信のためのチャンネル番号を記憶する第２の記憶手段と、
待機状態では、第２の記憶手段に記憶されたチャンネル番号に第２の送受信部の送受信チャンネルを合わせてこのチャンネルにて受信状態を維持する第７の制御手段と、
前記子機への呼出の必要性が生じたとき、初めは第２の記憶手段に記憶されたチャンネル番号を読みだして第２の送受信部の受信チャンネルをそのチャンネルに合わせて、そのチャンネルが使用可能か否かを判定し、使用可能であればそのチャンネルにて子機へ信号を送信し、この第２の記憶手段に記憶に記憶されたチャンネルが使用不可能であればその時のチャンネルグループの中の他のチャンネルに切り換えて使用可能か否かを判定し、使用可能であればそのチャンネルにて子機へ信号を送信する第８の制御手段と、
子機と親機との間に無線リンクが確立すると、その時のチャンネルを示すチャンネル番号を第２の記憶手段に記憶させる第９の制御手段と
を備えた事を特徴とする無線装置。
【発明の詳細な説明】
【０００１】
【発明の属する技術分野】
本発明はコードレス電話機を含むマルチチャンネルアクセス方式（ＭＣＡ方式）の無線装置に関するものである。
【０００２】
【従来の技術】
マルチチャンネルアクセス方式（ＭＣＡ方式）を有する無線装置では、多数のチャンネル（例えば３０ｃｈ）が用意され、一方の端末機が多数のチャンネルのなかでチャンネル切換を行いながら送信スキャンする場合は、その送信信号を他方の端末機が受信できた時に双方の通信を開始する。また一方の端末機があるチャンネルに固定して送信する場合は、他方の端末機がチャンネル切換を行いながら受信スキャンを行い、信号を受信できれば通信を開始することが出来る。
【０００３】
このようなＭＣＡ方式の無線装置のなかで特にベース端末機すなわち親機と移動可能なポータブル端末機すなわち子機から成るコードレス電話機において、親機の送信機からの送信電波を子機の受信機が受信する際、省電力化のため、子機の受信機を一定周期で間欠的に受信モードにする間欠受信方式が多く使用されている。すなわち、ある時間間隔をおいて受信部へ動作のための電力を供給し、間に所定の休止期間をおいて間欠的に受信動作を行う。
【０００４】
ところで、親機の呼び出し信号がどのチャンネルにて送られるかが分からない場合は、子機が親機からの呼び出し信号をキャッチするためには全チャンネル（１ｃｈ〜３０ｃｈ）にわたって受信スキャンを行う必要があり、しかもそれぞれのチャンネルにて受信された信号が親機からの正規のものであるか否かを識別するアクセススキャンを行う必要がある。
【０００５】
例えば全チャンネル数が３０であれば、受信部を一度動作させる間に３０個のチャンネルにわたってアクセススキャンする必要がある。図６は全チャンネルにアクセススキャンしている受信モードの繰り返しの様子を時間軸上に展開したものである。
【０００６】
【発明が解決しようとする課題】
このように従来の間欠受信モードにおいては、ある時間間隔をおいて全チャンネルにチャンネルスキャンさせ、それぞれのチャンネルにてベース送信側の発呼信号の有無を判断し無線リンク動作に状態遷移させている。
【０００７】
ところが、アクセスするチャンネルが多ければ多いほど受信モードが占有する時間は休止モードが占有する時間の割合より多くなる。しかもアクセススキャンの場合、１チャンネル受信する毎にチャンネルをロックし安定する時間と発呼信号の有無の判断時間が必要で、全チャンネル数が数十チャンネルに及ぶ場合は全チャンネルをスキャンさせる為にはこれらの時間が全チャンネルの数だけ費やされることとなり、そのスキャン時間分だけ受信部に電力を供給しようとする。また個々のチャンネルにおけるアクセススキャンは定期的にある時間周期で行なわねばならず、受信モードの立ち上がりから次の受信モードへの立ち上がり時間は限定され、その間にある休止モードの時間は受信モードの時間が延びれば延びるほど縮まるので、間欠受信方式と言えども大きな省電力化の効果は期待出来ない。
【０００８】
また子機は通常バッテリーによって駆動しており、電力をできるだけ使用せずに長時間スタンバイ状態を継続させ、ベース送信機からの送信信号をすばやく確実に捕らえて無線リンクすることが理想である。子機の受信スキャンに要する時間を短くし、リンク確立迄の時間の短縮化と待ち受け受信時における省電力化が課題となっている。
【０００９】
本発明は、上記従来の課題に鑑み、間欠受信時の省電力を図ると共に、リンク確立迄の時間の高速化を図ることのできる無線装置を提供することを目的とする。
【００１０】
【課題を解決するための手段】
本発明では、上記従来の課題を解決するために、子機は送受信部が送受信できる全チャンネルに含まれる所定のチャンネルグループに対しスキャンを行い、親機からの呼出信号の有無を確認する。
【００１１】
また、親機は、子機がスキャンを行っているチャンネルグループの中のチャンネルを使用して子機の呼出を行う。
【００１２】
【発明の実施の形態】
本発明の請求項１に記載の発明は、有線回線に接続された親機と、親機と送受信を行う送受信部を備えた子機から成り、子機には、送信及び受信のためのチャンネル番号を記憶する第１の記憶手段と、待ち受け時には送受信部を制御して所定時間毎に受信する間欠受信を行うように制御し、この間欠受信では送受信部が送受信できる全チャンネルに含まれかつ全チャンネルの数よりも少ない数のチャンネルから成るチャンネルグループにて受信スキャンを行わせ、親機からの呼出信号を受信する第１の制御手段と、親機と子機との間に無線リンクが確立するとその時のチャンネルを示すチャンネル番号を第１の記憶手段に格納し、該チャンネルを起点としてチャンネルグループを決定する第２の制御手段とを備え、親機は、送信及び受信のためのチャンネル番号を記憶する第２の記憶手段と、子機への呼出の必要性が生じたとき、第２の記憶手段に記憶されたチャンネルが使用可能か否かを判定し、使用可能であればそのチャンネルにて子機へ信号を送信し、この第２の記憶手段に記憶に記憶されたチャンネルが使用不可能であれば第２の記憶手段に記憶されたチャンネルを起点とするチャンネルグループの中から使用可能なチャンネルを捜して子機へ信号を送信する第３の制御手段とを備えたものであり、このような構成により、チャンネルグループ内での制限付スキャンでは全チャンネルではなくその中の一部についてスキャンするので、１周期中の子機側受信機の動作時間は少なくて済むという作用がある。しかも、妨害電波等があれば使用しようとしたチャンネルがビジーで他のチャンネルに切り換えられ、それに伴って以後のチャンネルグループも変わるので、時間経過とともに全チャンネルがまんべなく使用されることとなり、全チャンネルは有効に利用される。
【００１３】
また前記親機は、子機への呼出の必要性が生じたとき、子機の第１の制御手段がスキャンを行うチャンネルグループの中のチャンネルを使用して子機への呼出を行うように第２の送受信部を制御する第３の制御手段とを備えたことにより、親機は全チャンネルにてスキャンすることなく、子機がスキャンを行っているチャンネルグループの中で子機の呼出を行うので、比較的早く子機との間に無線リンクを確立させることができる。
【００１４】
以下、本発明の実施の形態としてコードレス電話機について図１から図７を用い説明する。
【００１５】
（実施の形態１）
図１において、１０はコードレス電話機におけるベース側端末機すなわち親機、１１はポータブル側端末機すなわち子機を示す。１は電話回線である。
【００１６】
親機１０において、２はボタン操作部、３は記憶装置である。５は音声信号や制御データ等を無線信号へ変換して送信し、また受信した信号から音声信号や制御データ等を復調して出力する送受信部である。４は親機１０における制御部であり、電話回線１の入出力の検知、ボタン操作部２、記憶装置３、送受信部５を制御する。
【００１７】
子機１１において、６は音声信号や制御データ等を無線信号へ変換して送信し、また受信した信号から音声信号や制御データ等を復調して出力する送受信部である。８は記憶装置、９はボタン操作部である。７は子機１１における制御部であり、ボタン操作部９、記憶装置８、送受信部６を制御する。また制御部７は間欠受信を制御するためのタイマー７ａを備えており、このタイマー７ａによって定期的に送受信部６へ動作指令信号を送るようになっている。１２は子機１１を駆動するためのバッテリーである。
【００１８】
待機状態では、親機１０と子機１１間で無線リンクを形成するために常に、相手側の送信信号が送られているか確認するために受信チャンネルスキャンを行っている。なお、本実施の形態におけるコードレス電話機では、送受信チャンネルとしては、全二重回線で送受信ペアで３０個のチャンネルが用意されている。また子機１１はバッテリー１２から供給される電力によって駆動しており、通話時以外は親機１０からの送信信号の受信待ち状態になっている。
【００１９】
図２および図３は本発明の実施の形態１における無線装置の子機１１の制御手順を示すフローチャートである。まず待機状態について説明する。図２において、ステップ１では使用者によって送信要求が為されている否かを調べる。ステップ２では間欠受信制御用のタイマー７ａがオンであるか否かを調べ、タイマー７ａがオンでなければステップ１へ戻る。ステップ２にてタイマー７ａがオンであれば、受信状態に入るため、次のステップ３へ移る。ステップ３では、記憶装置８に格納されている番号のチャンネルを起点チャンネルとして送受信部６へ与え、送受信部６の受信動作を開始させる。なお記憶装置８に格納されているチャンネル番号は、前回無線リンクが形成された時に使用されたチャンネルの番号である。
【００２０】
ステップ４では親機１０からデータが受信されたか否かを調べる。データが受信されていなければ、送受信部６へ与えるチャンネル番号を制限スキャンチャンネルグループ内の他のチャンネルの番号に更新（ステップ６）し、ステップ４へ戻る。もし制限スキャンチャンネルグループ内の全てのチャンネルについてスキャンが完了したならば（ステップ５）、受信状態を終了させ、元のステップ１へ戻る。
【００２１】
このように本実施の形態では間欠受信が行われ、例えば図７に示すようにタイマー７ａによってある時間間隔で受信部への供給電力を立ち上げ、制限スキャンチャンネルグループ内のチャンネルについて親機１０から送信信号が発せられているか否かを監視している。
【００２２】
また本実施の形態においては全部で３０個のチャンネルがチャンネル空間として割り振られているが、制限スキャンではチャンネル数を３０個のチャンネルではなく、３０個のチャンネルの６分の１、すなわち５つのチャンネルに制限することにより、受信部への供給電力の立ち上げ時間を少なくしている。受信部への供給電力が立ち上がると、その時の起点チャンネルが１ｃｈならば１ｃｈからスキャンを始め、４ｃｈ、７ｃｈ、１０ｃｈ、１３ｃｈという具合いに制限スキャンチャンネルグループ内でチャンネルを切り換えて信号が受信されるか否かを調べ、何も信号が検知されないときは受信部への供給電力を停止し休止モードとなる。
【００２３】
ところで、従来のように全チャンネルをスキャンした場合は、図６に示すように受信部への供給電力が立ち上がると１ｃｈからスキャンを始め、２ｃｈ、３ｃｈ、−−−−、２９ｃｈ、３０ｃｈという具合いに全チャンネルの中でチャンネルを切り換えて信号が受信されるか否かを調べることとなるが、この場合１ｃｈ毎に全チャンネルの数だけチャンネル設定の為のデータをＰＬＬへ送り、チャンネルがロックし安定するための時間が全チャンネルの数だけ必要であり、その分だけ受信部が消費する電力が必要である。
【００２４】
図２において、ステップ４で親機１０からのデータ受信が検出されると、ステップ７へ移り、その時に送受信部６に与えているチャンネルの情報を記憶装置８に格納する。そして、そのチャンネルにて親機１０へ応答のための制御データを送信（ステップ８）することにより無線リンクが形成され、音声通話のための回路等を動作させて音声通話状態へ移行する（ステップ９）。なお、ステップ７にて記憶装置８に格納されたチャンネルがそれ以後の起点チャンネルとなる。
【００２５】
使用者が通話終了の操作を行うと、無線リンクが解除される（ステップ１０）。そして、ステップ１１でその時に起点チャンネルに基づいて制限スキャンチャンネルグループを決定する。
【００２６】
次に子機１１から発信を行う場合について説明する。使用者が発信の操作を行うと、図２のステップ１にて送信要求が有りが検知され、図３のステップ１２に移る。ステップ１２では、記憶装置８に格納されている最新のチャンネル番号の情報を送受信部６へ与える。次にステップ１３にて送受信部６に受信動作をさせ、その時のそのチャンネルにおける電界の状態を調べる。
【００２７】
ステップ１３で弱電界であると判明すれば、そのチャンネルは空き状態であると認識し、すぐに制御データ送出のステップへ移る。ステップ１３で強電界であると判明すれば、そのチャンネルは使用不可であると認識し、他のチャンネルへ切り換える。すなわち強電界であると判明すれば、送受信部６へ与えるチャンネルの番号を更新し（ステップ１４）、他のチャンネルにて送受信部６に受信動作をさせ、その時のそのチャンネルにおける電界の状態を調べる（ステップ１５）。例えば最初に受信したチャンネルの番号に１５を加えた番号に更新する。
【００２８】
チャンネルの番号を更新し、ステップ１５で弱電界であると判明すればすぐに制御データ送出のステップへ移るが、ステップ１５で強電界であると判明すれば、ステップ１４へ戻ってさらにチャンネルの番号を更新し、そのチャンネルにおける電界の状態を調べる。
【００２９】
ステップ１３およびステップ１５で弱電界であると判明すれば、ステップ１６にてその時のチャンネルの番号を親機１０へ送信するための制御データの中に書き込み、ステップ１７にてこの制御データとともに発信依頼のデータを親機１０へ送信する。
【００３０】
このように使用者が発信の操作を行なうと、送信に使用するチャンネルが空き状態であるか否かを調べた上で親機１０へデータを送信し、もし最初に調べた起点チャンネルが使用不可であるならば他のチャンネルに切り換えて送信する。
【００３１】
親機１０へデータを送信した後、ステップ１８にて親機１０から応答データが受信されるか否かを調べる。親機１０からの応答データが受信されれば、図２に示すステップ７に移ってその時に送受信部６に与えているチャンネルの情報を記憶装置８に格納し、無線リンク形成のためのステップに移る。ステップ１８にて親機１０からの応答データが受信されなければステップ１４へ戻ってさらに送受信部６へ与えるチャンネルの番号を更新するが、すでに使用者が発信の操作を行なってから所定時間が経過しておれば（ステップ１９）、チャンネル更新及び送信を中止し、元のステップ１へ戻って待機状態となる。
【００３２】
図４および図５は本発明の実施の形態１における無線装置の親機１０の制御手順を示すフローチャートである。まず待機状態について説明する。図４において、ステップ２０では子機１１に対する送信要求（電話回線から着信等）が発生している否かを調べる。子機１１に対する送信要求が発生していなければ待機状態を維持する。ステップ２１では子機１１から制御データが受信されたか否かを調べる。その時のチャンネルにてデータが受信されていなければ、送受信部５に与えるチャンネル番号に１を足してチャンネルを更新し（ステップ２２）、引続き子機１１からの制御データ受信を調べる。このように待機状態では、チャンネル番号を１ずつ切り換えながら子機１１からの制御データ受信を調べる。
【００３３】
ステップ２１で子機１１からのデータ受信が検出されると、ステップ２３へ移り、その時に送受信部５に与えているチャンネルの情報を記憶装置３に格納する。そして、そのチャンネルにて子機１１へ応答のための制御データを送信（ステップ２４）することにより無線リンクが形成され、音声通話のための回路等を動作させて音声通話状態へ移行する（ステップ２５）。
【００３４】
次に着信等により親機１０から子機１１を呼び出す場合について説明する。電話回線からの着信があると、図４のステップ２０にて送信要求が有りが検知され、図５のステップ３０に移る。ステップ３０では、その時に記憶装置３に格納されているチャンネル番号の情報を送受信部５へ与える。次にステップ３１にて送受信部５に受信動作をさせ、その時のそのチャンネルにおける電界の状態を調べる。なお、この時記憶装置３から送受信部５へ与えられたチャンネル番号は前回無線リンクが形成された時に使用されたチャンネルの番号であり、電話回線からの着信があると、まずはこの前回使用のチャンネルにて電界の状態を調べる。
【００３５】
ステップ３１で弱電界であると判明すれば、そのチャンネルは空き状態であると認識し、すぐに制御データ送出のステップへ移る。ステップ３１で強電界であると判明すれば、そのチャンネルは使用不可であると認識し、他のチャンネルへ切り換えるためのステップへ移る。すなわちステップ３１で強電界であると判明すれば、送受信部５へ与えるチャンネルの番号を制限スキャンチャンネルグループ内の他のチャンネルの番号に更新し（ステップ３２）、この他のチャンネルにて電界の状態を調べ（ステップ３３）、ステップ３３で弱電界であると判明すればすぐに制御データ送出のステップ３４へ移る。またステップ３３で強電界であると判明すればステップ３２へ戻ってさらにチャンネルを制限スキャンチャンネルグループ内の他のチャンネルに更新し、そのチャンネルにおける電界の状態を調べる。
【００３６】
ステップ３１およびステップ３３で弱電界であると判明すれば、ステップ３４にてその時のチャンネルの番号を子機１１へ送信するための制御データの中に書き込み、ステップ３５にてこの制御データとともに子機呼出のデータを子機１１へ送信する。
【００３７】
このように着信等により親機１０から子機１１を呼び出す必要性が生じると、親機１０は送信に使用するチャンネルが空き状態であるか否かを調べた上で子機呼出のデータを送信し、もし最初に調べた起点チャンネルが使用不可であるならば、その時の制限スキャンチャンネルグループ内の他のチャンネルの中からが空き状態のチャンネルを探して送信する。
【００３８】
子機１１へ子機呼出のデータを送信した後、ステップ３６にて子機１１から応答データが受信されるか否かを調べる。子機１１からの応答データが受信されれば、図４に示すステップ２３に移ってその時に送受信部５に与えているチャンネルの情報を記憶装置３に格納し、無線リンク形成のためのステップに移る。ステップ３６にて子機１１からの応答データが受信されなければステップ３２へ戻ってさらに送受信部５へ与えるチャンネルの番号を更新するが、すでに着信が有ってから所定時間が経過しておれば（ステップ３７）、チャンネル更新及び送信を中止し、元のステップ２０へ戻って待機状態となる。
【００３９】
次に、制限スキャンチャンネルグループを決定する具体例を説明する。図８は本実施の形態１における無線装置の制限スキャンチャンネルグループを決定する具体例を説明するための説明図であり、起点チャンネルと、起点チャンネルに対応する制限スキャンチャンネルグループを示す。
【００４０】
制限スキャンチャンネルグループを決定する場合、前回無線リンクしたチャンネルを起点チャンネルとしてプラス３チャンネル飛ばしで選択され、合計５つのチャンネルを制限スキャンのためのチャンネルグループに設定する。例えば図８に示すように、起点チャンネルが１のとき、制限スキャンチャンネルグループは１ｃｈ，４ｃｈ，７ｃｈ，１０ｃｈ，１３ｃｈチャンネルとなり、これら５つのチャンネルから成るグループで受信チャンネルスキャンが行われる。また起点チャンネルが２のとき、制限チャンネルは２ｃｈ，５ｃｈ，８ｃｈ，１１ｃｈ，１４ｃｈチャンネルとなり、このグループで受信チャンネルスキャンが行われる。
【００４１】
例えばある時、起点チャンネルが２ｃｈならば、親機１０が子機１１に送信する場合にはまず２ｃｈが空きチャンネルであるか否か調べられる。もし起点チャンネルの２ｃｈが電界有り（例えば他の無線装置が使用中）であるならば、つぎの５ｃｈが空きチャンネルであるか否か調べられる。もしこの５ｃｈが空きであってそのチャンネルにて親機１０と子機１１が無線リンク動作を完了した場合、制限スキャンチャンネルグループを決めるための起点チャンネルが５ｃｈに更新される。そして、図２に示すステップ１１および図４に示すステップ２７ではこの５ｃｈを起点として制限スキャンチャンネルグループが決定される。すなわち起点チャンネルは、直前に無線リンクが形成されたチャンネルに設定されていることになる。
【００４２】
親機子機間の通話が終了し無線リンクが開放されると、子機１１が間欠受信モードに入る。前述のように前回の無線リンク時に制限スキャンチャンネルグループの起点チャンネルが５ｃｈに更新されていると、今度は５ｃｈを起点に８ｃｈ，１１ｃｈ，１４ｃｈ，１７ｃｈといった５つのチャンネルにて切り換えながら制限付受信スキャンが行われる。
【００４３】
これとは逆に子機１１から親機１０へ呼出送信させる場合、もしこの時に起点チャンネルが電界有り（例えば他の無線装置が使用中）で使用できないなら、プラス１５ｃｈ飛ばしで空きチャンネルを検索し無線リンク動作を行なう。このようにある起点チャンネルが電界有りで使用できない場合には、他のチャンネルに自動的に切り換わり、電界検知及び送信等が行われる。もし他のチャンネルに自動的に切り換わって親機子機間の無線リンクが形成された場合には起点チャンネルが更新される。
【００４４】
以上のように、ある時点での起点チャンネルは、その前に親機子機間で無線リンクが確立したチャンネルとなり、前回起点チャンネルとは異なったチャンネルで無線リンクが確立した場合には以後起点チャンネルは変更されることになる。故に送信発呼時、電界有りチャンネルが存在すれば、起点チャンネルが変化し、それに伴って制限スキャンチャンネルグループが変化することとなる。
【００４５】
このようにその時点での状況に応じて起点チャンネルが変化するので、全チャンネル帯を移動し網羅することが可能であり、従ってチャンネル空間は時間経過とともに全空間使用され、通信経路の有効利用が可能である。
【００４６】
以上の様に本実施の形態では、全スキャンする間欠受信方式を採用したコードレス電話機と比較すると、例えば３０のチャンネル全てをスキャンした場合の待ち受けスタンバイ時間が６０時間であったのに対し、本発明を利用したコードレス電話機は５チャンネル制限スキャンの間欠受信方式でスタンバイ時間が１６８時間（７日間）と飛躍的に長くなり子機１１のバッテリーの寿命を延長化を実現することが出来る。
【００４７】
さらにリンクするチャンネル数を制限したことにより、受信スキャンさせたときの受信ヒット率が高くなり、不要なチャンネルをスキャンさせる時間が必要でなくなり、リンク確立迄の時間の短縮が図れる。
【００４８】
（実施の形態２）
本発明の実施の形態２では回路構成等は前実施の形態１とほぼ同じであるが、制限スキャンチャンネルグループを決定する方法が異なる。本実施の形態では、全体で６０のチャンネルが割り当てられ、奇数チャンネルグループを使う装置と偶数チャンネルグループを使う装置がＩＤコードによって決められている。また奇数チャンネルグループおよび偶数チャンネルグループともに、プラス１４チャンネル飛ばしでチャンネルが選択され、合計５つのチャンネルを制限スキャンのためのチャンネルグループに設定する。
【００４９】
例えばＩＤコードにより奇数チャンネルグループを使うように定められた装置では、図９において、例えば１５ｃｈを起点チャンネルとすると、制限スキャンチャンネルグループは実線枠で囲んだ１５ｃｈ，２９ｃｈ，４３ｃｈ，５７ｃｈ，１１ｃｈとなり、これら５つのチャンネルから成るグループでチャンネルスキャンが行われる。また起点チャンネルが２９ｃｈのとき、制限チャンネルグループは破線枠で囲んだ２９ｃｈ，４３ｃｈ，５７ｃｈ，１１ｃｈ，２５ｃｈとなり、このグループでチャンネルスキャンが行われる。
【００５０】
またＩＤコードにより偶数チャンネルグループを使うように定められた装置では、図９において、例えば２ｃｈを起点チャンネルとすると、制限スキャンチャンネルグループは２ｃｈ，１６ｃｈ，３０ｃｈ，４４ｃｈ，５８ｃｈとなる。
【００５１】
以上のように、制限スキャンのためのチャンネルをプラス１４チャンネル飛ばしで選択することにより、制限スキャンの時にも、許可された周波数帯全域にてチャンネルが使用されることとなり、たとえ周波数帯域内のある一部にノイズ等が発生しても、制限スキャンは広範囲にわたって為されるのでノイズ等の妨害を受ける可能性は少ない。
【００５２】
【発明の効果】
本発明は、上記従来の課題を解決するために、子機は送受信器が送受信できる無線チャンネルに含まれる所定のチャンネルグループに対しスキャンを行い、親機からの呼出信号の有無を確認し、親機は、子機がスキャンを行っているチャンネルグループの中のチャンネルを利用して子機の呼出を行うので、全ての無線チャンネルをスキャンするのに比べ、１回のスキャンに要する時間が少なくなるため、間欠受信を行った場合、全チャンネルをスキャンするのに比べ送受信器を動作させている時間が短くなり、省電力化が図れる。また、スキャンする無線チャンネルが限られているので、親機からの呼出の検出が早くなるため、親機と子機とのリンク確立迄の時間を短くすることができる。
【図面の簡単な説明】
【図１】本発明の実施の形態１における無線装置のブロック図
【図２】同実施の形態１における無線装置の子機の制御手順を示すフローチャート
【図３】同実施の形態１における無線装置の子機の制御手順を示すフローチャート
【図４】同実施の形態１における無線装置の親機の制御手順を示すフローチャート
【図５】同実施の形態１における無線装置の親機の制御手順を示すフローチャート
【図６】全チャンネルスキャン時において間欠受信を行ったときのタイムチャート
【図７】制限付きチャンネルスキャン時において間欠受信を行ったときのタイムチャート
【図８】本発明の実施の形態１における無線装置の制限スキャンチャンネルグループを決定する具体例を説明するための説明図
【図９】本発明の実施の形態２における無線装置の制限スキャンチャンネルグループを決定する具体例を説明するための説明図
【符号の説明】
１  電話回線
２  ボタン操作部
３  記憶装置
４  制御部
５  送受信部
６  送受信部
７  制御部
７ａ  タイマー
８  記憶装置
９  ボタン操作部
１０  親機
１１  子機
１２  バッテリー
【図１】
0003582200.tif 000002
【図２】
0003582200.tif 000003
【図３】
0003582200.tif 000004
【図４】
0003582200.tif 000005
【図５】
0003582200.tif 000006
【図６】
0003582200.tif 000007
【図７】
0003582200.tif 000008
【図８】
0003582200.tif 000009
【図９】
0003582200.tif 000010